(57)【要約】【課題】ランニングコストを低減し、不正アクセスを受けにくい監視端末を提供する。【解決手段】設備等１０００を監視し、カメラ装置９００と接続して画像データを取得し、電話回線７００を介してデータを送受信する監視端末８００であって、電話回線７００経由で設備等１０００の画像データの送信指示を受信すると、カメラ装置９００から取得した画像データを、指示された送信先１００、４００へ電話回線７００経由で送信する。画像データを、電子メールを利用して送信する。複数の送信先のメールアドレスを設定しておく。あらかじめ複数のカメラ装置９００の撮影位置を設定しておき、電話回線７００経由で指定されたカメラ装置９００の画像データ又はカメラ装置９００とその撮影位置の画像データを、電子メールを利用して送信する。【選択図】図１
2009010700.tif 000002
【特許請求の範囲】
【請求項１】
設備等を監視する機能と、画像データを配信するカメラ装置と接続して前記画像データを取得する機能と、電話回線を介してデータを送受信する機能とを有する監視端末であって、
電話回線経由で前記設備等の画像データの送信指示を受信すると、前記設備等を撮像したカメラ装置から取得した画像データを、指示された送信先へ電話回線経由で送信することを特徴とする監視端末。
【請求項２】
請求項１記載の監視端末において、
前記画像データを、電子メールを利用して送信することを特徴とする監視端末。
【請求項３】
請求項２記載の監視端末において、
あらかじめ複数の送信先のメールアドレスを設定しており、電話回線経由で電子メールの送信先として前記複数のメールアドレスのうちから指定できることを特徴とする監視端末。
【請求項４】
請求項２記載の監視端末において、
カメラの向きとズームの度合いを外部から制御可能なカメラを用いて、撮影方向とズームの度合いの組合せを予めカメラに設定しておき、電話回線経由で指定された組合せでの画像データを、電子メールを利用して送信することを特徴とする監視端末。
【請求項５】
請求項１記載の監視端末において、
前記設備等から外部信号が入力されると、前記カメラ装置から取得した画像データを、電子メールを利用して送信することを特徴とする監視端末。
【請求項６】
請求項１記載の監視端末において、
あらかじめ設定されたスケジュールに従って、前記カメラ装置から取得した画像データを保存し、電話回線経由で、保存した画像データを送信することを特徴とする監視端末。
【発明の詳細な説明】
【技術分野】
【０００１】
本発明は、監視端末に関し、特に監視システム及びコンピューター・ソフトウェアに関し、上下水道の給水、配水設備や、産業用の生産設備、販売データ収集設備等を遠隔監視や制御する技術に関する。
【背景技術】
【０００２】
従来から、通信回線を経由してカメラ装置の画像データを配信して、遠隔地に存在する監視対象の状態を視認する監視システムが知られている（特許文献１参照）。
従来の監視システムでは多くの場合、常時接続通信回線を利用し、カメラ装置の画像データを送信している。しかし、ユーザーがカメラ装置による監視を常時行っていないのであれば、必要な時にのみカメラ装置に通信をさせる一時接続通信の回線を使用したほうがランニングコストは低くなる。
【０００３】
近年、携帯電話を利用して遠隔地のカメラ装置の画像を視認する監視システムが実用化されている。携帯電話は機種ごとの機能の差が大きいので、多くの機種が対応できるブラウザでの接続をするために、インターネットに直接カメラ装置を接続させて通信を行っている場合が多い。しかし、インターネットにカメラ装置を接続させると、不正アクセス等のセキュリティー上の問題が発生する可能性がある。
【特許文献１】特開２００１−３６１２３７号公報
【発明の開示】
【発明が解決しようとする課題】
【０００４】
上記の従来の問題を整理すると、以下のようになる。
（１）常時接続回線のランニングコスト高
カメラ装置の使用頻度が少ないのであれば、常時接続の回線を使用するよりも非常時接続の通信回線を使用したほうが、通信費等のランニングコストは低くなる。
（２）インターネット回線のセキュリティー問題
現在、最も一般的な携帯電話への画像の送信方法はインターネットを利用した方法である。この場合、インターネットにカメラ装置を接続させるため、不正アクセス等のセキュリティー上の問題が発生する。
【課題を解決するための手段】
【０００５】
本発明は、設備等を監視する機能と、画像データを配信するカメラ装置と接続して前記画像データを取得する機能と、電話回線を介してデータを送受信する機能とを有する監視端末であって、電話回線経由で前記設備等の画像データの送信指示を受信すると、前記設備等を撮像したカメラ装置から取得した画像データを、指示された送信先へ電話回線経由で送信する監視端末である。
【０００６】
また、本発明は、前記画像データを、電子メールを利用して送信する監視端末である。
【０００７】
そして、本発明は、あらかじめ複数の送信先のメールアドレスを設定しており、電話回線経由で電子メールの送信先として前記複数のメールアドレスのうちから指定できる監視端末である。
【０００８】
更に、本発明は、カメラの向きとズームの度合いを外部から制御可能なカメラを用いて、撮影方向とズームの度合いの組合せを予めカメラに設定しておき、電話回線経由で指定された組合せでの画像データを、電子メールを利用して送信する監視端末である。
【０００９】
また、本発明は、前記設備等から外部信号が入力されると、前記カメラ装置から取得した画像データを、電子メールを利用して送信する監視端末である。
【００１０】
そして、本発明は、あらかじめ設定されたスケジュールに従って、前記カメラ装置から取得した画像データを保存し、電話回線経由で、保存した画像データを送信する監視端末である。
【発明の効果】
【００１１】
本発明によれば、電話回線の利用しており、従量制の電話回線を利用するため、カメラ装置へのアクセス頻度が低い場合には、常時接続回線を利用するよりも通信コストが低減できる。また、プッシュ式の電話機や携帯電話からＤＴＭＦ信号の送信は可能なため、カメラ装置の制御のために専用の機器を用意する必要が無い。そして、電子メールを利用した画像データの配信とするため、インターネットに接続するのは電子メール送信中の短時間だけなので、不正アクセスを受ける可能性は無い。また、電子メールの受信には殆どの携帯電話が対応しているため、携帯電話の機種に依存することなく画像の送信が可能になる。更に、警報通報への画像データの添付できるため、警報の発生を通報するための電子メールに警報発生直後の画像データを添付してメールの送信を行うことができ、警報発生を知ると同時に監視対象の情況を画像で確認することができる。
【発明を実施するための最良の形態】
【００１２】
本発明を実施するための最良の形態を説明する。
本発明の概要を以下に示す。
（１）電話回線の利用
常時接続の通信回線ではなく、通信費が通信時間に対応して変化する従量制の料金制度を取る電話回線を利用する。電話回線への接続機能を持ったカメラ装置は一般的にはないため、カメラ装置に接続した監視端末が公衆回線への接続を行う。使用者は、監視装置を公衆回線経由で監視端末に接続させ、監視端末を経由してカメラ装置の画像データを監視装置に表示させる。
（２）電子メールの利用
インターネットへカメラ装置を直接接続させる代わりに、電子メールを利用して画像データを送信する。メール送信の指示を受けると、監視端末は電話回線経由でインターネットにダイアルアップ接続を行い、あらかじめ設定されたメールアドレスに画像データを添付した電子メールを送信する。
（３）ＤＴＭＦ信号によるメール送信先及びカメラの撮影ポイントの制御
電話機から監視端末へ電話を掛けて、ＤＴＭＦ信号を利用してメールの送信指示や、メール先送信アドレスやカメラの撮影ポイントの指定、例えばカメラの向きとズームの度合いの組合せでの指定、を行うことができる。ＤＴＭＦ信号の送信はプッシュ式の固定電話や携帯電話から送信できる。
（４）異常通報と同時に画像データを送信
監視端末に外部信号が入力されると、監視端末は信号の内容が記載された電子メールにカメラの画像データを添付して、あらかじめ設定されたメールアドレスに警報メールを送信する。
本発明の監視端末の実施例について、図面を用いて説明する。
【００１３】
実施例を説明する。図１に本実施例の監視端末が適用される監視システム全体の構成を示す。監視室には監視装置１００が電話回線モデム２００を利用して、電話回線７００を介して監視端末８００と通信してカメラ装置９００の画像データを取得する。カメラ装置９００は監視対象１０００を撮影した画像データを配信する。また、電話機３００から監視端末８００に電話をかけてカメラ画像の配信指示を行うことができる。
【００１４】
監視端末８００はメールの送信指示を受け取ったり、監視対象１０００からの信号の入力があった時には、カメラ装置９００から取得した画像データを電子メールに添付して送信する。監視端末８００はメールサーバー６００を経由して画像データを添付した電子メールを送信する。ユーザーは携帯電話４００で電子メールを受信し、監視対象１０００の画像データを受け取ることができる。
【００１５】
この監視システムの基本的な機能は４つある。一つめは、監視装置１００は監視端末８００にダイアルップ接続し、監視対象となる設備のリアルタイムの画像データを監視端末８００を経由して、監視装置１００に表示すること。二つめは、設備の管理者が電話機３００から監視端末８００に電話をかけて画像の送信指示を行うと、監視端末８００が監視対象１０００の画像データを添付した電子メールを設備の管理者に送信すること。三つめは、監視対象１０００に異常があると、監視端末８００がそれを検知し、異常の内容と異常発生直後の監視対象１０００の画像データを設備の管理者に送信すること。四つめは、監視端末８００に定期的に撮影された監視対象１０００の画像データを蓄積し、後で監視装置１００にまとめて表示することである。
【００１６】
図２にテレメータ装置の時刻同期の内容を示す。監視装置１００は監視端末８００に公衆回線４００経由でダイアルアップ接続をする。監視端末８００はルーターとしての機能を持つため、監視装置１００はカメラ装置９００と直接ＴＣＰ／ＩＰを利用して通信することができる。カメラ装置９００はＷＥＢサーバーを利用して画像データを配信できるため、監視装置１００内のウエブブラウザに監視対象１０００のリアルタイムの画像を表示することができる。
【００１７】
図３に、電子メールによる画像データ送信の内容を示す。設備の管理者が電話機３００から監視端末８００に電話を掛けると、監視端末８００が電話を取る。この状態で電話機３００の予め決められた送信指示のキーを押すと、ＤＴＭＦを用いて送信指示が監視端末８００に送信される。送信指示を受けた監視端末８００はカメラ装置９００から監視対象１０００の画像データを取得する。その後、メールサーバー６００にダイアルアップすると取得した画像データを添付した電子メールを送信する。設備の管理者は携帯電話などのメールの受信装置４００を用いて電子メール受信し、現在の監視対象の様子をチェックすることができる。
【００１８】
図４に、警報メールによる画像送信の内容を示す。監視対象１０００から異常信号が監視端末８００に入力されると、監視端末８００は発生した異常の内容を記載し、カメラ装置９００から取得した監視対象１０００の画像データを添付した電子メールを作成する。その後、メールサーバー６００にダイアルアップして作成した電子メールを送信する。設備の管理者はメールの受信装置４００を用いて電子メール受信し、警報の発生を知ると共に警報発生直後の監視対象の状況を画像データで確認することができる。
【図面の簡単な説明】
【００１９】
【図１】実施例の監視端末が適用される監視システム全体の構成を示す。
【図２】実施例におけるダイアアップ接続の内容を示す。
【図３】実施例における電子メールによる画像データ送信の内容の一例を示す。
【図４】実施例における警報メールによる画像送信の内容の一例を示す。
【符号の説明】
【００２０】
１００  監視装置
２００  電話回線モデム
３００  電話機
４００  携帯電話
６００  メールサーバー
７００  電話回線
８００  監視端末
９００  カメラ装置
１０００  監視対象
【図１】
2009010700.tif 000003
【図２】
2009010700.tif 000004
【図３】
2009010700.tif 000005
【図４】
2009010700.tif 000006